(57)【要約】      （修正有）【課題】画像処理装置の不使用時の消費電力を低減する方法を提供する。【解決手段】各装置が直流電源網を共有する様に構成して連携してすることにより、予め複数の装置間でネゴシエーションを行い、省電力スタンバイ時に共用する直流電源ラインの電圧を適応的に変える事により、電源効率を改善して消費電力を低減する。【選択図】図３
2015022679.tif 000002
【特許請求の範囲】
【請求項１】
画像処理装置の不使用時の消費電力を低減させる方法。以下の構成による。
商用交流電源ライン１１２０から電力を得る交流電源手段１３０１を備え、直流電源ライン１１３０から電力を得る直流電源手段１３０２を備え、電源電力を商用交流電源ラインから得るか直流電源ラインから得るかを切り替える切り替え手段３１０を備え、
画像処理装置の通常動作時は商用交流電源ラインから電力を得て動作をし、画像処理装置の不使用時は省電力スタンバイ状態にして、該交流電源をオフして代わりに該直流電源ラインから電力を得て動作を行う省電力方式において、
該直流電源ラインに直流電源を供給する電源供給元及び、該直流電源ラインから直流電源を得る他の装置と、相互に通信を行う通信手段３３０を備え、
該画像処理装置を該直流電源ライン１１３０に接続する際に、該直流電源ラインに直流電源を供給する電源供給元及び、該直流電源ラインから直流電源を得る他の装置と、相互にネゴシエーションを行い、該直流電源ライン１１３０の電圧を適応的に決定する事を特徴とする省電力スタンバイ方法。
【請求項２】
直流電源手段１３０２は直流電源ライン１１３０に対して電力を供給する機能を備え、
複数の画像処理装置が省電力スタンバイ時に直流電源を共用すると共に、予めネゴシエーションによって決定した特定の画像処理装置が直流電源手段１３０２から直流電源ライン１１３０に対して電力を供給する事を特徴とする請求項１に記載の省電力スタンバイ方法。
【請求項３】
直流電源ライン１１３０に接続されて直流電源を共用する複数の画像処理装置が相互にネゴシエーションを行い、通常動作状態の画像処理装置が直流電源ライン１１３０に対して電力を供給し、省電力スタンバイ状態の画像処理装置が直流電源ライン１１３０から電力を得る様に、随時適応的に電源需給関係を変える事を特徴とする請求項１または２に記載の省電力スタンバイ方法。
【請求項４】
充放電可能な２次電池を備え、通常動作時に２次電池を充電して、装置の不使用時は省電力動作状態にして主電源をオフして、代わりに２次電池から電力を得て駆動する機能を備えた請求項１乃至請求項３の何れか１項に記載の省電力スタンバイ方法。
【請求項５】
電話回線１１１０から電力を得る手段を備え、ＵＳＢインターフェースのＶＢＵＳ電源から電力を得る手段を備え、直流電源ラインから電力を得る場合と比較して最も消費電力が少なくなる供給元から電力を得る様に動作することを特徴とする請求項１乃至請求項４の何れか１項に記載の省電力スタンバイ方法。
【発明の詳細な説明】
【技術分野】
【０００１】
本発明は画像処理装置のスタンバイ時の省電力化に関するものである。
【背景技術】
【０００２】
従来、画像処理装置のスタンバイ時やスリープ時等の不使用時の省電力化の方法としては、下記の３通りの方法が一般的である。（１）不使用時に電源をオンしたままで、動作モードを省電力化する方法。（２）不使用時には装置の電源をオフする方法。（３）不使用時は主電源をオフして、代わりに充電可能な２次電池でバックアップ駆動する方法。
【０００３】
（１）の、不使用時に電源をオンしたまま省電力化する方法では、通常動作時に比べて低消費電力動作時の電源１次２次変換効率は極端に低下する為に、消費電力を下げ難い。また電源ユニットを大電力用と小電力用の２コンバーター方式にすると、低消費電力動作時の変換効率も上がるがコストアップしてしまう。
【０００４】
（２）の、不使用時には装置の電源をオフする方法だと、次に電源オンするための起動手段が制限され、基本的に手動になってしまうと言う問題がある。また初期化処理から開始する事になる為に起動時間が長くなると言う問題がある。
【０００５】
（３）の、不使用時は充電可能な２次電池でバックアップ駆動する方法だと、２次電池の充電容量低下を検知して、主電源をオンして２次電池を再充電するために時々起動する必要が生じる。また２次電池は充放電を繰り返すと電池寿命が短くなり、また容量の大きい２次電池は高コストであると言う問題がある。
【０００６】
本発明は上記（３）の不使用時は主電源をオフして、代わりに充電可能な２次電池でバックアップ駆動する方法に関するものである。従来の、主電源オフ時に２次電池から電力を得て動作をする方法は、装置単独で実施するものが一般的である（特許文献１参照）。
【０００７】
特許文献１に提案された方法は、主電源オフ時には２次電池あるいはＵＳＢインターフェースから電力の供給を受けて、揮発性メモリ（特に画像ファイル）のバックアップをするものである。主電源オフ時に２次電池が放電し切ってかつＵＳＢインターフェースからの電源供給も無い場合でも、本体電源をオンして２次電池を充電することは無い。また該画像処理装置は電源供給をされるだけであり、画像処理装置から直流電源を出力する事は無く、複数の画像処理装置で連携する事は無いので、複数の画像処理装置全体での省電力について効果があるものではない。
【先行技術文献】
【特許文献】
【０００８】
【特許文献１】特開２０１０−２１８３１７号公報
【発明の概要】
【発明が解決しようとする課題】
【０００９】
本発明は、画像処理装置のスタンバイ時やスリープ時等の不使用時の消費電力を下げるために、主電源である商用交流電源をオフして、直流電源または２次電池で駆動する方式に関するものである。複数の画像処理装置が設置された環境において、各装置が連携して直流電源を共用する事により、複数の装置全体としての不使用時の消費電力を低減する事を目的としている。画像処理装置は一般的に内部で使用している直流電源は複数種類ありそれぞれ電圧も異なる。
【００１０】
そこで不使用時に省電力モードを維持する場合に、最も適した直流電源電圧が装置毎に異なる場合がある。例えばある装置では省電力スタンバイモード時にネットワーク応答する必要が有ったり、ある装置ではネットワーク機能が無かったりして、それによって必要な直流電源電圧や電流が異なってくる。従って、複数の装置で共用する直流電源の電圧を固定していると、最も消費電力が低い状態にする事ができないと言う課題が有った。
【課題を解決するための手段】
【００１１】
画像処理装置の不使用時の消費電力を低減させる方法。以下の構成による。画像処理装置の通常動作時は商用交流電源ラインから電力を得て主電源で動作し、不使用時は主電源をオフして、直流電源ラインから電力を得て省電力スタンバイ状態を維持する、省電力スタンバイ方法に関する。特に、複数の該画像処理装置が設置された環境において、各装置が省電力スタンバイ時の直流電源ラインを共用し、条件に応じて相互に電力供給をする事により、全体としての消費電力を低下させる事を特長とする省電力スタンバイ方法に関する。
【００１２】
複数の画像処理装置間で、省電力スタンバイ時に使用する直流電源を接続する手段（直流電源回路部１３０２及び、直流電源ライン１１３０）を備え、該直流電源ラインの供給方向を切り替える手段（３１０）を備える。省電力スタンバイ時は、他の電源効率が高い装置または稼動中の装置から直流電源電力を受給するか、自装置の２次電池から電力を得て駆動するかを選択する手段を備える。そして、予め複数の装置間でネゴシエーションを行い、省電力スタンバイ時に共用する直流電源ラインの電圧を適応的に変える事により、電源効率を改善して消費電力を低減する様に構成する。
【発明の効果】
【００１３】
複数の画像処理装置が設置された環境で、各装置が連携して直流電源を共用する事により、複数の装置全体としての消費電力を低減する方法において、直流電源ラインの電圧を適応的に変える事により、更に電源効率を改善して消費電力を低減する事ができる。
【図面の簡単な説明】
【００１４】
【図１】複数の画像処理装置の電源線の接続を示す図である。
【図２】画像処理装置のハードウエア構成を表すブロック図である。
【図３】直流電源回路部の構成を表すブロック図である。
【図４】画像処理装置を直流電源ラインへ接続するフローチャートである。
【図５】画像処理装置をスリープモード（疑似無電力スタンバイモード）へ移行するフローチャートである。
【図６】画像処理装置をスリープモード（疑似無電力スタンバイモード）から復帰するフローチャートである。
【発明を実施するための形態】
【００１５】
以下、本発明を実施するための最良の形態について図面を用いて説明する。
【００１６】
図１は、本発明実施例１で複数の画像処理装置の電源線の接続状況を表す図である。画像処理装置１，２，３，４は、それぞれ独立した装置であり、それぞれが本発明の２次電池を用いた省電力スタンバイ機能を備えている。各画像処理装置は、ＡＣ電源コードを商用交流電源コンセントに接続してここから電力供給を受けて動作する。また各画像処理装置は、ＤＣ電源コードを直流電源ラインに接続してここからも電力供給を受けて動作したり、逆に画像処理装置から電源ラインに電力を供給したりする。本発明はこの直流電源ラインに接続して電力を得たり供給したりする構成を特徴としている。
【００１７】
図２は、本発明実施例の画像処理装置１００の電気的構成を示すブロック図である。図２において、制御手段１０１は画像処理装置１００の全体的な動作を制御するものである。ＲＯＭ１０２には、制御手段１０１が実行するプログラムや各種のデータ等が格納されている。ＲＡＭ１０３は、制御手段１０１が実行するプログラムが制御手段１０１の制御の下に展開される。また更にＲＡＭ１０３は、制御手段１０１のワークエリア及び、複写機能で使用する第１の画像用メモリ領域や、ファクシミリ機能で使用する第２の画像用メモリ領域としても利用される。時計回路１１２は、時刻情報を出力するためのものであり、１次電池１１４により駆動される。
【００１８】
操作手段１０５は、画像処理装置をユーザーが操作するための各種キーからなり、表示手段１０４は、画像処理装置を操作するための各種情報を表示する。ＦＡＸ通信手段１０６はアナログ電話回線を介してＦＡＸ通信を行うものである。そしてまたＦＡＸ通信手段１０６は受信画像をダイレクトに記録紙に記録出力せずに一旦ＲＡＭ１０３に蓄積した後で記録紙に記録出力するメモリ受信機能を有する。そしてまたＦＡＸ通信手段１０６は送信画像をすぐに送信せずに一旦ＲＡＭ１０３に蓄積した後で設定した時間に送信するタイマー送信機能を有する。
【００１９】
また本体電源がオフされた場合でも一定時間はＲＡＭ１０３に蓄積した該ＦＡＸ画像メモリ領域を保持するバッテリーバックアップ機能を有する。画像読み取り手段１０８は原稿を読み取る原稿読み取り手段である。画像処理手段１０９は読み取った画像や記録出力する画像データの変換処理を行うものである。画像形成手段１１０は画像データを記録紙に記録出力する画像形成手段であり、複写動作の場合は画像読み取り手段１０８で読み取った画像データを記録出力し、プリント動作の場合はＰＣから転送された画像データを記録出力するものである。
【００２０】
ネットワーク通信手段１０７は、プリント出力するためにＰＣから画像データを転送したり、画像読み取り手段１０８で読み取った画像データをＰＣに転送したりするネットワーク通信手段である。該ネットワーク通信手段は、ＰＣからブラウザでＨＴＴＰ接続をして装置を操作するリモートユーザーインターフェース機能でも使用される。符号化復号化手段１１１は、画像読み取り手段１０８で読み取った画像データをＦＡＸ通信手段で送信する際に予め所定の方式で符号化したり、ＦＡＸ通信手段で受信した画像データを印字出力する際に予め所定の方式で復号化したりする機能を有する。また更に符号化復号化手段１１１は、複写動作をする際に複数ページの画像情報を一時的に蓄積するために符号化したり、印字出力する際に復号化したりする機能を有する。
【００２１】
ＣＰＵバス１２０は、制御手段１０１、ＲＯＭ１０２、ＲＡＭ１０３、操作手段１０５、表示手段１０４、ＦＡＸ通信手段１０６、ネットワーク通信手段１０７、画像読み取り手段１０８、画像処理手段１０９、画像形成手段１１０、符号化複合化手段１１１、を接続するＣＰＵバスである。そしてＣＰＵバス１２０は、アドレス信号を転送するアドレスバス、制御信号を転送するコントロールバス及び各種データを転送するデータバスの総称である。ＵＳＢ通信手段１１５は、プリント出力するためにコンピュータ１１０１から画像データを転送したり、画像読み取り手段１０８で読み取った画像データをコンピュータ１０１１に転送したりするＵＳＢ通信手段である。
【００２２】
該ＵＳＢ通信手段は、ホストであるコンピュータからデバイスである画像処理装置にＶＢＵＳ電源の供給を受ける機能も有する。
【００２３】
電源ユニット１３０は、本発明で最も重要な構成要素であり、商用交流電源ライン１１２０から給電された交流電源を直流電源に変換して電子回路部へ電源供給をする手段１３０１を備える。電源ユニット１３０は更に、直流電源ラインから直流電源を受電したり逆に直流電源ラインへ直流電源を出力したりする直流電源回路部１３０２を備える。電源ユニット１３０は更に、充放電可能な２次電池１１３の充電を行ったり給電されたりする機能も備える。
【００２４】
図３は、電源ユニット１３０内部の直流電源回路部１３０２の構成を示すブロック図である。図３において直流電源回路部１３０２は画像処理装置の外部の直流電源ライン１１３０に接続され、受給切り替え手段３１０によって電源を受電するか給電するかを切り替える。ＤＣ／ＤＣ電圧変換手段３１１は、受給切り替え手段を介して入力された電源電圧を装置が必要とする電圧に変換したり、交流電源回路部１３０１が生成する直流電源電圧を直流電源ライン１１３０に適合する電圧に変換したりする手段である。またＤＣ／ＤＣ電圧変換手段３１１は、２次電池１１３を充電したり電力を得たりする機能を有する。
【００２５】
電源電圧及び電源供給能力確認手段３２０は、直流電源ライン１１３０から電力を受電する際に短時間、低めの抵抗値を介してＧＮＤに短絡して、ドロップ電圧値から直流電源ラインの電源電圧や電源供給能力を確認する手段である。通信信号重畳手段３３０は、コンデンサで直流カットして高周波通信信号を重畳する回路であり、変調復調／圧縮伸長手段３３１を介して、直流電源に関するプロパティーを送受信したりネゴシエーションを行う手段である。直流電源回路部１３０２の各機能ブロックは制御手段１０１によって制御を行う。
【００２６】
図４は、実施例１において、画像処理装置１００を直流電源ラインへ接続する際の動作を説明するフローチャートである。以下に主に図３のブロック図を用いて、図４のフローチャートに従って説明する。
【００２７】
先ず図４のステップ４０１で、ユーザーによって画像処理装置１００が商用交流電源ライン１１２０に接続され電源ＳＷがオンされると、ステップ４０２で画像処理装置１００を起動して初期化した後、通常動作モードのスタンバイ状態に移行する。次にステップ４０３でユーザーによって画像処理装置１００が直流電源ライン１１３０に接続されると、ステップ４０４で、直流電源電圧および供給能力確認手段３２０で直流電源ラインの電圧を確認する。次にステップ４０５で、直流電源ラインの電圧が自機が必要とする仕様と適合するかどうかを制御手段１０１で判定する。
【００２８】
電源仕様が適合しない場合はステップ４０６で、直流電源ライン１１３０とＤＣ／ＤＣ電圧変換手段３１１とを受給切り替え手段３１０で切り離す。そして２次電池は自機で充放電して、省電力スタンバイ時には自機の２次電池から電力を得るスタンドアロンモードで動作する設定にする。ステップ４０５で、直流電源ラインの電圧が自機が必要とする仕様と適合する場合は、ステップ４０７で、通信手段３３０によってＰＬＣ通信で直流電源ライン１１３０のプロパティーを確認する。ステップ４０８で、直流電源ライン１１３０のプロパティーを確認できなかった場合は、ステップ４０６で、直流電源ライン１１３０とＤＣ／ＤＣ電圧変換手段とを受給切り替え手段３１０で切り離す。
【００２９】
そして２次電池は自機で充放電して、省電力スタンバイ時には自機の２次電池から電力を得るスタンドアロンモードで動作する設定にする。ステップ４０８で、直流電源ライン１１３０のプロパティーを確認できた場合は、ステップ４０９へ進む。ステップ４０９で、該直流電源ラインに接続されている全ての画像処理装置とＰＬＣ通信によりネゴシエーションを行い、直流電源ライン１１３０の電源電圧を決定する。ここで例えば、該直流電源ラインに接続されている全ての画像処理装置が省電力スタンバイモード時にネットワーク応答機能等の特別な機能を備えてなくて必要な電力が低い場合は、最適な直流電源電圧は例えば＋３．３Ｖとなる。
【００３０】
また例えば、画像処理装置が省電力スタンバイモード時にネットワーク応答機能等の特別な機能を備えていて必要な電力が高く、＋５Ｖ電圧も必要としていた場合は、最適な直流電源電圧は例えば＋５Ｖとなる。また概して言えば、省電力スタンバイモード時の消費電力が高い装置が接続された場合は高めの電圧、省電力スタンバイモード時の消費電力が低い装置だけが接続された場合は低めの電圧の方が、全体としての消費電力が下がると言う相関関係がある。この様に、該直流電源ラインに接続されている画像処理装置の仕様によって最も電源効率が良い電源電圧は異なってくる。ステップ４０９では、予め決められたアルゴリズムに従って、最も電源効率が良い直流電源ライン１１３０の電源電圧を決定するものである。
【００３１】
次にステップ４１０で、直流電源ライン１１３０の電源供給能力と電源生成効率を自機１００のそれと比較し、直流電源ライン１１３０の電源供給能力と電源生成効率の方が高いと判断した場合は、ステップ４１１へ進む。ステップ４１１で、省電力スタンバイ時に直流電源を受電する連携モードで動作する設定にする。ステップ４１０で、自機１００の電源供給能力と電源生成効率の方が高いと判断した場合は、ステップ４１２で、省電力スタンバイ時に直流電源を供給する連携モードで動作する設定にする。
【００３２】
図５は、実施例１において、画像処理装置１００が疑似無電力スタンバイモードへ移行するシーケンスを説明するフローチャートである。ここで疑似無電力スタンバイモードとは、図４で説明した省電力スタンバイモードの１形態で、商用交流電源スイッチをオフして電力供給を受けずに、自機の２次電池１１３または直流電源ライン１１３０からの電力で省電力動作する状態を示す。
【００３３】
ステップ５０１の通常動作から、ステップ５０２のスタンバイ状態へ移行する。その後、装置を使用しないスタンバイ状態が予め設定した時間経過すると、ステップ５０３で、疑似無電力スタンバイモードへ移行する処理を開始する。先ずステップ５０４で、通信手段３３０により直流電源ライン１１３０を介してＰＬＣ通信で直流電源ライン１１３０のプロパティーを確認する。より詳細には、通信手段３３０から電源供給元を尋ねる信号を直流電源ライン１１３０に送出すると、電源供給元である他の画像処理装置（例えば画像処理装置２）が応答してプロパティー情報を返す。プロパティー情報は、電源電圧、供給可能な電流値、供給する電源の生成効率、供給可能なスケジュール、及び、現時点で接続されている全ての画像処理装置の情報、等である。
【００３４】
次にステップ５０５で、自機の電池の充電容量を確認して不十分であれば、ステップ５０４で入手した直流電源ラインのプロパティー情報に基づき、ステップ５０６で直流電源ライン１１３０から受電可能かどうかを判定する。直流電源ラインから受電不可能であれば、疑似無電力スタンバイモードへは移行できないので、ステップ５０２へ戻りスタンバイ状態を継続しながら自機の２次電池の充電を行う。ステップ５０６で、直流電源ラインから受電可能と判定されれば、ステップ５０７で、直流電源ラインから受電して、疑似無電力スタンバイモードへ移行して、交流電源をオフする。
【００３５】
疑似無電力スタンバイモードでは、制御手段１０１は停止状態またはスリープモードまたは省電力動作とし、ＲＡＭ１０３はクロック周波数低速化またはセルフリフレッシュモードにして、消費電力を最も低下させたスタンバイ状態にする。また疑似無電力スタンバイモードでは、制御手段の内部で複数のＣＰＵを備えた場合は最も消費電力の少ないＣＰＵだけを動作させて、ＬＡＮの応答やＵＳＢインターフェースやＦＡＸ着信などで起動可能な状態にしても良い。また疑似無電力スタンバイモードでは、表示手段１０４や画像読み取り手段１０８や画像処理手段１０９や画像形成手段１１０等の使用しないブロックは動作を停止して電源供給を遮断する。
【００３６】
ステップ５０５で、自機の電池の充電容量を確認して十分であれば、ステップ５０８へ進む。ステップ５０８で、ステップ５０４で入手した直流電源ライン１１３０のプロパティー情報に基づき、直流電源ラインの電源供給能力と電源生成効率を自機１００の電源生成効率と比較する。直流電源ラインの電源供給能力と電源生成効率が自機１００の電源生成効率と比べて高いと判定した場合は、ステップ５０９へ進む。ステップ５０９で、直流電源ラインから受電する様にして、疑似無電力スタンバイモードへ移行して、交流電源をオフする。
【００３７】
この時、自機の２次電池の電力を使用しない事により、２次電池の放電充電の回数を減らす事ができ、２次電池の寿命を延ばす事が可能となる。ステップ５０８で、直流電源ラインの電源供給能力と電源生成効率が自機１００の電源生成効率と比べて低いと判定した場合は、ステップ５１０へ進む。ステップ５１０で、直流電源ラインへ電力供給する要求があるかどうかをＰＬＣ通信で尋ねる。ステップ５１０で、例えば画像処理装置２が現時点で直流電源を直流電源ラインへ出力していて、ネゴシエーションの結果、自機１００から直流電源ラインへ電力供給する様に要求があれば、疑似無電力スタンバイモードへは移行せずにステップ５１１へ進む。
【００３８】
ステップ５１１で、電源ユニット１３０からの直流電源を受給切り替え手段３１０の電源供給側のスイッチをオンして、直流電源ライン１１３０に電源を供給する連携モードで動作する。直流電源を供給する連携モードでは、交流電源回路部１３０１から出力された直流電源を、ＤＣ／ＤＣ電圧変換手段３１１で所定の電圧に変換して、受給切り替え手段３１０から直流電源ライン１１３０へ出力する。
【００３９】
所定の電圧とは、図４のステップ４０４及びステップ４０７で、確認及びネゴシエーションによって、直流電源ライン１１３０に接続されている複数の装置間で決められた電圧である。ステップ５１０で、直流電源ラインへ電力供給する要求がどこからも無ければ、ステップ５１２で、直流電源ラインとはスイッチで切り離し、自機の２次電池１１３から電力を得るスタンドアロンモードの疑似無電力スタンバイモードへ移行して、交流電源をオフする。スタンドアロンモードの疑似無電力スタンバイモードでは、２次電池から得た電力をＤＣ／ＤＣ変換手段３１１により、該モードで動作させる各ブロックが必要とする各電源電圧を生成して各ブロックへ供給する。
【００４０】
図６は、実施例１において、画像処理装置１００が疑似無電力スタンバイモードから復帰するシーケンスを説明するフローチャートである。
【００４１】
ステップ６０１の疑似無電力スタンバイモードでは、制御手段１０１は停止状態またはスリープモードまたは省電力動作状態であり、ＲＡＭ１０３はクロック周波数低速化またはセルフリフレッシュモードにして、消費電力を最も低下させたスタンバイ状態であるとする。また疑似無電力スタンバイモードでは、制御手段の内部で複数のＣＰＵを備えた場合は最も消費電力の少ないＣＰＵだけを動作させて、ＬＡＮの応答やＵＳＢインターフェースやＦＡＸ着信などで起動可能な状態にしても良い。また疑似無電力スタンバイモードでは、商用交流電源ライン１１２０から電力を受給するための電源ユニット１３０内のスイッチはオフされており、直流電源ライン１１３０または２次電池１１３から電力供給を受けて上記スリープ状態で動作している。
【００４２】
ステップ６０２で、ユーザーの操作による起動要求やＬＡＮ経由のプリント要求やＦＡＸ着信等の起動条件を検出すると、ステップ６０４で、起動して通常スタンバイモードへ移行する処理を開始する。ステップ６０２で起動条件を検出しなくても、ステップ６０３で、２次電池または直流電源の電圧が低下した事を検知した場合も、ステップ６０４で、起動して通常スタンバイモードへ移行する処理を開始する。先ずステップ６０５で、商用交流電源ライン１１２０に接続された電源ＳＷをオンして、各ブロックへ電源供給を行う。
【００４３】
制御手段１０１を停止状態またはスリープモードまたは省電力動作状態から通常動作状態へ復帰させる。ＲＡＭ１０３はクロック周波数低速化またはセルフリフレッシュモードから通常動作モードへ復帰させる。制御手段の内部で複数のＣＰＵを備えた場合で停止させていたＣＰＵがある場合はそのＣＰＵも動作させる。そしてシステムを起動して初期化処理を実行した後、通常動作モードのスタンバイ状態に移行する。次にステップ６０６で、ステップ６０２及びステップ６０３の起動条件に従った処理を開始する。例えばステップ６０２でＬＡＮ経由でプリントジョブを受け付けて起動した場合は、受け付けたジョブに従ってプリント動作を実行する。例えばステップ６０３で２次電池の電圧低下を検知して起動した場合は、スタンバイモードへ移行して、２次電池を充電する。
【００４４】
以上説明したように、本発明実施例１の画像処理装置の省電力化方法では、不使用時に商用交流電源をオフして、２次電池または直流電源で駆動する擬似無電力スタンバイ方式に関するものである。そして複数の該画像処理装置が設置された環境において、各装置が直流電源網を共有する様に構成して連携してすることにより、全体としての電源効率を改善するものである。
【００４５】
本発明実施例１では直流電源ラインを独立して設ける例について説明したが、既存のインターフェースを流用しても良い。例えば電話回線１１１０のインターフェースのモジュラージャックにはピン数は６ピンあるが、日本国内では通常センターの２ピンだけを接続して使用しており、両端の端子は空いている。そこでこの両端の２ピンを本発明の直流電源ラインとして流用しても良い。また、ＵＳＢインターフェースのＶＢＵＳ電源は＋５Ｖでホストからデバイスへ供給されるものであるが、このＵＳＢインターフェースのホストコネクターを用いて＋５Ｖ電源供給を行い、デバイスコネクターを用いて＋５Ｖを受電する様に構成しても良い。
【符号の説明】
【００４６】
１３０２  直流電源回路部
３１０  直流電源受給切り替え手段
３１１  直流電圧変換手段
３２０  直流電源電圧及び電源供給能力確認手段
３３０  通信手段
【図１】
2015022679.tif 000003
【図２】
2015022679.tif 000004
【図３】
2015022679.tif 000005
【図４】
2015022679.tif 000006
【図５】
2015022679.tif 000007
【図６】
2015022679.tif 000008